(57)【要約】【課題】装置の小型化に適する構造を有する火災検知器を提供する。【解決手段】火災報知器１は、ケース２と、略L型形状を有し、ケース２内に配置された基板１１と、略L字形状の一方の腕部の端部近傍の基板１１上に設けられたタクトスイッチ１３と、略L字形状の他方の腕部の端部近傍の基板１１上に設けられた端子１４と、略L字形状の基端部の基板１１上に設けられた煙検知ユニット６と、ケース２のカバー表面３Ａに対して直交する方向から見たときに、煙検知ユニット６を挟むようにしてスイッチ１３の反対側に配置された電池１０とを有する。【選択図】図５
2011113541.tif 000002
【特許請求の範囲】
【請求項１】
ケースと、
略L型形状を有し、前記ケース内に配置された基板と、
前記略L字形状の一方の腕部の端部近傍の前記基板上に設けられたスイッチと、
前記略L字形状の他方の腕部の端部近傍の前記基板上に設けられた端子と、
前記略L字形状の基端部の前記基板上に設けられた火災検知部と、
前記ケースのカバー表面に対して直交する方向から見たときに、前記火災検知部を挟むようにして前記スイッチの反対側に配置された電池と、
を有することを特徴とする火災検知器。
【請求項２】
前記ケースのカバー表面に対して直交する方向から見たときに、前記火災検知部を挟むようにして前記端子の反対側に配置された火災通報用スピーカーと、
をさらに有することを特徴とする請求項１に記載の火災検知器。
【請求項３】
前記ケースのカバー表面に対して直交する方向から見たときに、前記火災検知部を挟むようにして前記端子の反対側に配置された第２の電池と、
をさらに有することを特徴とする請求項１に記載の火災検知器。
【請求項４】
前記ケースのカバー表面に対して直交する方向から見たときに、前記略L字形状の前記一方の腕部と前記他方の腕部によって挟まれた空間に配置された火災通報用スピーカーと、
をさらに有することを特徴とする請求項３に記載の火災検知器。
【発明の詳細な説明】
【技術分野】
【０００１】
本発明は、火災検知器に関し、特に、装置の小型化に適する構造を有する火災検知器に関する。
【背景技術】
【０００２】
従来より、火災検知器あるいは火災報知器が広く使用されている。火災検知器の内部には、回路基板と、センサあるいはセンサユニットと、電池と、スイッチ及び端子が少なくとも内蔵される（例えば、特許文献１参照）。回路基板は、火災を検知するセンサからの信号を入力して監視し、火災を検知すると出力信号を出力する回路である。  
そして、火災検知器は、コストの面だけでなく、居室等に設置されるため美観上からも小型のものが望まれている。
【先行技術文献】
【特許文献】
【０００３】
【特許文献１】特開２００９−５４０６３号公報
【発明の概要】
【発明が解決しようとする課題】
【０００４】
火災検知器のさらなる小型化が望まれているが、回路基板の形状、電池の大きさ等の種々の要因を考慮すると、小型化は容易ではない。
【０００５】
本発明は、装置の小型化に適する構造を有する火災検知器を提供することを目的とする。
【課題を解決するための手段】
【０００６】
本発明の請求項１に係る火災検知器は、ケースと、略L型形状を有し、前記ケース内に配置された基板と、前記略L字形状の一方の腕部の端部近傍の前記基板上に設けられたスイッチと、前記略L字形状の他方の腕部の端部近傍の前記基板上に設けられた端子と、前記略L字形状の基端部の前記基板上に設けられた火災検知部と、前記ケースのカバー表面に対して直交する方向から見たときに、前記火災検知部を挟むようにして前記スイッチの反対側に配置された電池と、を有する。
【０００７】
本発明及び以下の請求項の各発明において、特に指定しない限り、用語の定義及び技術的意味は次による。  
火災検知器は、例えば、家等に設置される火災報知器であるが、これに限定されない。  
基板は、例えば、火災検知部、タクトスイッチ等を搭載した基板であるが、これに限定されない。  
スイッチは、例えば、タクトスイッチであるが、これに限定されない。  
端子は、例えば、外部機器接続用の端子であるが、これに限定されない。  
火災検知部は、例えば、煙検知ユニットであるが、これに限定されない。  
電池は、例えば、リチウム電池であるが、これに限定されない。  
以上の構成により、装置の小型化に適する構造を有する火災検知器を提供することができる。
【０００８】
本発明の請求項２に係る火災検知器は、前記ケースのカバー表面に対して直交する方向から見たときに、前記火災検知部を挟むようにして前記端子の反対側に配置された火災通報用スピーカーを有することを特徴とする。  
火災通報用スピーカーは、例えば、音声出力するスピーカーであるが、これに限定されない。  
以上の構成により、スピーカーを有しても、装置の小型化に適する構造を有する火災検知器を提供することができる。
【０００９】
本発明の請求項３に係る火災検知器は、前記ケースのカバー表面を直交する方向から見たときに、前記火災検知部を挟むようにして前記端子の反対側に配置された第２の電池とをさらに有することを特徴とする。  
第２の電池は、例えば、リチウム電池であるが、これに限定されない。  
以上の構成により、第２の電池を有しても、装置の小型化に適する構造を有する火災検知器を提供することができる。
【００１０】
本発明の請求項４に係る火災検知器は、前記ケースのカバー表面に対して直交する方向から見たときに、前記略L字形状の前記一方の腕部と前記他方の腕部によって挟まれた空間に配置された火災通報用スピーカーとをさらに有することを特徴とする。  
火災通報用スピーカーは、例えば、音声出力するスピーカーであるが、これに限定されない。  
以上の構成により、スピーカーを有しても、装置の小型化に適する構造を有する火災検知器を提供することができる。
【発明の効果】
【００１１】
本発明の請求項１によれば、装置の小型化に適する構造を有する火災検知器を提供することができる。
【００１２】
本発明の請求項２によれば、スピーカーを有しても、装置の小型化に適する構造を有する火災検知器を提供することができる。
【００１３】
本発明の請求項３によれば、第２の電池を有しても、装置の小型化に適する構造を有する火災検知器を提供することができる。
【００１４】
本発明の請求項４によれば、第２の電池に加えて、スピーカーを有しても、装置の小型化に適する構造を有する火災検知器を提供することができる。
【図面の簡単な説明】
【００１５】
【図１】本発明の第１の実施の形態に係わる火災報知器の外観構成を示す斜視図である。
【図２】図１の火災報知器の平面図である。
【図３】図３は、図２のＩＩＩ−ＩＩＩ線断面図である。
【図４】本発明の第１の実施の形態に係わる基板１１の形状を説明するための基板１１の平面図である。
【図５】本発明の第１の実施の形態に係わるカバー３と基板１１と中底部材９の組立て図である。
【図６】本発明の第１の実施の形態に係わる火災報知器１における基板と他の部品の配置を説明するための図である。
【図７】本発明の第２の実施の形態に係わる火災報知器１Aにおける回路基板１１と他の部品の配置の例を説明するための図である。
【発明を実施するための形態】
【００１６】
以下、図面を参照して本発明の実施の形態を説明する。  
（第１の実施の形態）
図１から図３は、本発明の第１の実施の形態の火災報知器に係り、図１は、火災報知器の外観構成を示す斜視図、図２は、図１の火災報知器の平面図、図３は、図２のＩＩＩ−ＩＩＩ線断面図である。
【００１７】
図１及び図２に示すように、本実施の形態の火災報知器１は、火災報知器本体を構成するケース本体２と、このケース本体２内に設けられた煙検知ユニット６とを有して構成される火災検知器である。
【００１８】
ケース本体２は、図１と図２に示すように円形であり、カバー３と、このカバー３が着脱自在に取付けられるベース部４とを有して構成される。ベース部４は、天井等に取り付けられる取り付け面を有する。なお、ケース本体２の形状は、八角形等の略円形でもよい。  
カバー３は、カバー表面３Ａより高さ方向に突出するカバー蓋部５と、このカバー蓋部５とカバー表面３Ａとの間に設けられた、煙を導入するための開口部８とを有して構成される。
【００１９】
カバー蓋部５は、図２に示すように、ケース２のカバー表面３Ａに直交する方向から見たときに円形を有し、前記カバー３の延設部３ａを介して、該カバー３と一体的に構成される。  
なお、この延設部３ａは、カバー蓋部５の外周側の所定位置に３つ設けられているが、この数に限定されるものではない。但し、前記開口部８の煙を導入するための面積を拡大するためには、少なくとも３以下の数により延設部３ａを構成し、或いは各延設部３ａの幅を極力狭くするように構成することが望ましい。
【００２０】
また、カバー３の一部には、警報のテストあるいは警報停止のための押しボタン７が位置するように、切欠部が形成されている。この押しボタン７は、火災報知器１の表示及び音声による警報発生時に、押下することで、発した表示及び音声による警報を止めたりするためのボタンである。また、この押しボタン７は、内部に設けられたLED１２（図３参照）による光が透過する材質で構成されている。LED１２が点灯すると、押しボタン７は発光して見える。
【００２１】
また、カバー３には、報知用開口溝３ｂが設けられている。報知用開口溝３ｂは、ケース本体２内に設けられたスピーカー（図５）などの音声を効果的に外部へと伝えるための貫通孔である。
【００２２】
煙検知ユニット６は、煙を検知して検知結果をケース本体２内に設けられた基板上の回路により構成される警報制御部に出力する。この煙検知ユニット６により煙の検知がなされて検知結果を受信すると、前記図示しない警報制御部は、異常時であるものと判断して表示及び音声による警報を発するように制御する。
【００２３】
次に、前記煙検知ユニット６を含むケース本体２内部の構成を、図３を用いて説明する。  
図３に示すように、煙検知ユニット６は、例えば円筒状に構成されたもので、側面部６Ａの外周面全体が煙を導入する導入部分として構成されている。この側面部６Ａの外周面は、煙などの気体が通過可能で、かつ、虫などが侵入しないように防虫金網等で構成されている。
【００２４】
また、煙検知ユニット６の内部には、図示しないが、発光素子と、受光素子とが同心円状で、かつ、この同心円の中心と発光素子および受光素子のそれぞれを結ぶ線分が所定の角度となるように配置されている。
【００２５】
この煙検知ユニット６は、電源がオン状態である場合、発光素子から定期的に光が出射されている。そして、煙検知ユニット６は、煙が侵入すると、浸入した煙の粒子によって前記光が拡散されるため、前記受光素子に光が到達し受光状態を煙の検知結果として図示しない警報制御部に出力する。
【００２６】
煙検知ユニット６は、ケース本体２内の中底部材９に固定された基板１１上の接続部材１１Ａに配設される。また、前記警報制御部（図示せず）は、前記基板１１上に設けられている。
【００２７】
前記基板１１上の前記押しボタン７に対応する位置には、警報発生時に光を発するLED１２と、前記押しボタン７の押下操作を検知するタクトスイッチ１３とが実装されている。さらに、タクトスイッチ１３とLED１２とが実装されている基板１１の面の裏面の別の位置には、外部機器接続用の端子１４（図４）が実装されている。
【００２８】
また、ケース本体２内の中底部材９には、電池収容部９Ａが設けられており、この電池収容部９Ａには、リチウム電池１０が収容されるようになっている。  
なお、図示はしないが電池収容部９Ａ内の電気接点は、接続線等によって前記基板１１上の警報制御部に電気的に接続されている。そして、リチウム電池１０から電力が前記基板１１上の警報制御部に供給されることで、前記警報制御部は、前記煙検知ユニット６、LED１２、図示しないスピーカーなどの駆動の制御が可能となる。
【００２９】
図４は、基板１１の形状を説明するための基板１１の平面図である。基板１１は、L字形状を有している１枚の基板である。基板１１は、図４に示すように、煙検知ユニット６の形状に合わせて一部丸く突出している部分、タクトスイッチ１３の周囲の一部の突出している部分等を有するが、略L字形状を有する。  
図４に示すように、基板１１のL字形状の基端部BPには、火災検知部である円筒形状の煙検知ユニット６が配設される。図４では、煙検知ユニット６が、基板１１上の２点鎖線で示す位置に配置される。
【００３０】
タクトスイッチ１３と端子１４は、それぞれL字形状の基板１１の２つの腕部上に実装される。具体的には、基板１１のL字形状の基端部BPから延出する一方の腕部AP1の端部近傍には、端子１４が配設される。基板１１の端子１４が設けられた面の裏面であって、L字形状の基端部BPから延出する他方の腕部AP2の端部近傍には、タクトスイッチ１３とLED１２が配設される。タクトスイッチ１３とLED１２は、煙検知ユニット６が設けられる面と同じ面に設けられる。
【００３１】
なお、他方の腕部ＡＰ２は煙検知ユニット６の直径とほぼ同寸法の幅で形成されており、一方の腕部ＡＰ１は他方の腕部ＡＰ２、または煙検知ユニット６の直径よりも狭い幅で形成されている。つまり、基板１１は煙検知ユニット６を搭載可能であって、一方の腕部ＡＰ１を幅狭で形成することで一方の腕部ＡＰ１と他方の腕部ＡＰ２とで囲まれる空間を大きくすることができる。
【００３２】
また、基端部ＢＰおよび他方の腕部ＡＰ２には、煙検知ユニット６、ＬＥＤ１２、タクトスイッチ１３等の制御部（図示しない）が設けられており、一方の腕部ＡＰ１には外部機器接続用の端子１４が設けられている。すなわち、制御部と外部接続部とは基端部および他方の腕部ＡＰ２と一方の腕部ＡＰ１とで分離して実装されている。
【００３３】
図５は、カバー３と基板１１と中底部材９の組立て図である。図５は、カバー３を裏側から見た図である。図５に示すように、組立て時、カバー３の裏側から、基板１１とスピーカー１５が初めにカバー３の内部に嵌め込まれる。基板１１は、基板１１上のタクトスイッチ１３が押しボタン７に対向するように、カバー３に嵌め込まれる。  
次に、カバー３の裏側から、電池１０の取り付けられた中底部材９が、基板１１を覆うように、被せられる。  
図示しないが、最後に、ベース部４がカバー３の裏側から取り付けられる。中底部材９は、中底部材９に設けられた複数の孔９ａを通る螺子を、カバー３の裏面側に設けられた複数の固定用のボス３ｃに対して螺子止めすることにより固定される。
【００３４】
図６は、火災報知器１における基板と他の部品の配置を説明するための図である。図６は、火災報知器１をカバー表面側から見たときの基板と各部品の配置を示す。  
火災報知器１のカバー表面３Aに対して直交する方向から見たとき、煙検知ユニット６は、火災報知器１の真ん中に位置する。火災報知器１内では、電池１０は、煙検知ユニット６を挟むようにして、L字形状の基板１１の腕部AP2の端部近傍に設けられたタクトスイッチ１３の反対側に配置されている。すなわち、ケース本体２のカバー表面３Ａに対して直交する方向から見たときに、煙検知ユニット６が電池１０とタクトスイッチ１３の間に位置するように、電池１０、煙検知ユニット６及びタクトスイッチ１３は、腕部AP2の伸びる方向に沿って略並んで配置される。図６では、電池１０は、電池１０の中心軸がL字形状の基板１１の腕部AP１の伸びる方向に平行になるように配置されている。すなわち、図６に示すように、電池１０は、煙検知ユニット６を挟むようにして、L字形状の基板１１の一方の腕部AP2の反対側の空間を有効に利用して、その空間に配置される。
【００３５】
また、火災報知器１のカバー表面３Aに対して直交する方向から見たとき、火災報知器１内では、スピーカー１５は、煙検知ユニット６を挟むようにして、L字形状の基板１１の腕部AP1の端部近傍に設けられた端子１４の反対側に配置されている。すなわち、ケース本体２のカバー表面３Ａに対して直交する方向から見たとき、スピーカー１５、煙検知ユニット６及び端子１４が、L字形状の基板１１の腕部AP１の伸びる方向に沿って略並んで配置されている。すなわち、図６に示すように、スピーカー１５は、煙検知ユニット６を挟むようにして、L字形状の基板１１の腕部AP1の反対側の空間を有効に利用して、その空間に配置される。
【００３６】
そして、L字形状の２つの腕部AP1とAP2によって挟まれた空間SPAには、カバー３と中底部材９を取り付けるためのボス３ｃを配置させることができる（図５）。仮に基板１１がボス３ｃを囲むように形成されていた場合には、ボス３ｃが通過するための孔を基板１１に設ける必要があり、基板１１の製造工程が増えるため好ましくない。また、基板１１をＬ字形状にすることで空間ＳＰＡの部分も部品取りに使うことができる。
【００３７】
以上のように、本実施の形態の火災報知器１によれば、L字形状の基板１１を用いて、各部品を上述したようにケース本体２内に配置することにより、より小型化の火災検知器を実現することができる。
【００３８】
また、図６の配置の場合、火災報知器１を、火災を検知する空間の壁に取り付けるとき、押しボタン７が、煙検知ユニット６の鉛直方向に位置するように、火災報知器１は取り付けられる。すなわち、他の部品に比べて比較的重い電池１０と、煙検知ユニット６と、押しボタン７が鉛直方向に沿って並んで配置される。  
よって、火災報知器１がそのような状態で壁に取り付けられて、押しボタン７が押されても、比較的重い電池１０の重みによって、ケース本体２が、斜めに傾くことはない。
【００３９】
言い換えると、もしも、火災報知器１が壁に取り付けられたときに、電池１０が、押しボタン７と煙検知ユニット６とを結ぶ鉛直方向から外れた位置にあると、電池１０の重みで、ケース本体２が傾いてしまう。上述した図６の配置によれば、そのようなケース本体２の傾きは生じない。
【００４０】
以上のように、上述した本実施の形態の火災報知器によれば、略L字形状の基板を用いて、略L字形状の一方の腕部の端部近傍の基板上にスイッチを設け、略L字形状の他方の腕部の端部近傍の基板上に端子を設け、略L字形状の基端部の基板上に火災検知部である煙検知ユニットを設け、そして、ケース表面に対して直交する方向から見たときに、電池を、煙検知ユニットを挟むようにしてスイッチの反対側に配置する。このような構成によれば、さらなる小型化及び薄型化を可能にする構造を有する火災検知器を実現することができる。
【００４１】
そして、スピーカーを、煙検知ユニットを挟むようにして端子の反対側に配置することができる。よって、上述した本実施の形態に係る火災検知器によれば、ケース本体内の空間を有効に利用して、より小型で薄型の火災検知器を実現することができる。
【００４２】
（第２の実施の形態）
第２の実施の形態に係る火災検知器は、電池を２つ搭載する点が、第１の実施の形態と異なる。第２の実施の形態において、第１の実施の形態の火災報知器と同じ構成要素については、同じ符号を付し、説明は省略する。
【００４３】
図７は、本実施の形態に係る火災報知器１Aにおける回路基板１１と他の部品の配置の例を説明するための図である。  
火災報知器１Aは、L字形状の基板１１を用いている。１つ目の電池１０は、第１の実施の形態と同じ位置に配置される。すなわち、図７に示すように、電池１０は、煙検知ユニット６を挟むようにして、L字形状の基板１１の一方の腕部AP2の反対側の空間を有効に利用して、その空間に配置される。
【００４４】
２つ目の電池１０Ａは、第１の実施の形態におけるスピーカー１５の位置に配置される。すなわち、図７に示すように、電池１０Ａは、煙検知ユニット６を挟むようにして、L字形状の基板１１の腕部AP1の反対側の空間を有効に利用して、その空間に配置される。  
そして、スピーカー１５は、図７に示すように、L字形状の２つの腕部AP1とAP2によって挟まれた空間SPAを有効に利用して、その空間に配置される。
【００４５】
以上のように、本実施の形態の火災報知器１Aによれば、L字形状の基板１１を用いて、各部品を上述したようにケース本体２内に配置することにより、電池が２つの場合でも、より小型で薄型の火災検知器を実現することができる。  
なお、上述した２つの実施の形態の説明では、基板１１は、L字形状を有しているが、基板１１は、略L字形状であれば、上述した各実施の形態と同様の効果を生じる。例えば、基板は、２つの腕部の成す角度が、９０度でなくても、略９０度であればよい。  
さらになお、上述した２つの実施の形態の説明では、火災検知部は、煙検知式であるが、熱検知式でもよい。
【００４６】
本発明は、上述した実施の形態に限定されるものではなく、本発明の要旨を変えない範囲において、種々の変更、改変等が可能である。
【符号の説明】
【００４７】
１、１A  火災報知器、２  ケース本体、３  カバー、３Ａ  カバー表面、３ａ  延設部、３ｂ  報知用開口溝、４  ベース部、５  カバー蓋部、６  煙検知ユニット、６Ａ  側面部、７  押しボタン、８  開口部、９  中底部材、９Ａ  電池収容部、１０、１０A  リチウム電池、１１  基板、１２  LED、１３  タクトスイッチ、１４  端子、１５  スピーカー
【図１】
2011113541.tif 000003
【図２】
2011113541.tif 000004
【図３】
2011113541.tif 000005
【図４】
2011113541.tif 000006
【図５】
2011113541.tif 000007
【図６】
2011113541.tif 000008
【図７】
2011113541.tif 000009